(57)【要約】      （修正有）【課題】内視鏡保持装置及びトロリーにおいて、操作部とケーブルとの位置関係が互いに異なる複数の内視鏡の掛け間違いを防いで内視鏡を確実に保持する。【解決手段】内視鏡保持装置は、内視鏡のケーブル（ユニバーサルコード２０１）を掛けるための溝１１ａが１つ形成されたケーブル受け部１１と、ケーブル２０１とこのケーブルに接続された操作部２０２との位置関係が互いに異なる第１の内視鏡２００−１及び第２の内視鏡２００−２のうち、第１の内視鏡２００−１のケーブル２０１が溝１１ａに掛けられたときに第１の内視鏡２００−１の操作部２０２の位置を規制する第１の規制部（第１の規制面１３ａ）と、第２の内視鏡２００−２のケーブル２０１が溝１１ａに掛けられたときに第２の内視鏡２００−２の操作部２０２の位置を規制する第２の規制部（第２の規制面１３ｂ）と、を備える。【選択図】図７
2014057676.tif 000002
【特許請求の範囲】
【請求項１】
内視鏡のケーブルを掛けるための溝が１つ形成されたケーブル受け部と、
前記ケーブルと該ケーブルに接続された操作部との位置関係が互いに異なる第１の内視鏡及び第２の内視鏡のうち、前記第１の内視鏡の前記ケーブルが前記溝に掛けられたときに前記第１の内視鏡の前記操作部の位置を規制する第１の規制部と、
前記第２の内視鏡の前記ケーブルが前記溝に掛けられたときに前記第２の内視鏡の前記操作部の位置を規制する第２の規制部と、
を備えることを特徴とする内視鏡保持装置。
【請求項２】
前記ケーブル受け部よりも下方に設けられ、前記第１の内視鏡及び前記第２の内視鏡の前記操作部を保持する操作部保持面を更に備え、
前記溝の延伸方向と前記操作部保持面とがなす角度は、鈍角である、
ことを特徴とする請求項１記載の内視鏡保持装置。
【請求項３】
前記ケーブル受け部よりも下方に設けられ、前記第１の内視鏡及び前記第２の内視鏡の前記操作部を保持する操作部保持面と、
前記操作部保持面のうち前記第１の内視鏡の前記操作部が配置される領域と前記第２の内視鏡の前記操作部が配置される領域との間に位置する位置規制突起部と、を更に備え、
前記第１の規制部は、前記位置規制突起部の一方側に設けられ、
前記第２の規制部は、前記位置規制突起部の他方側に設けられている、
ことを特徴とする請求項１記載の内視鏡保持装置。
【請求項４】
前記第１の規制部及び前記第２の規制部は、前記ケーブル受け部を挟んだ両側のそれぞれに両方設けられていることを特徴とする請求項１から請求項３のいずれか１項記載の内視鏡保持装置。
【請求項５】
前記ケーブル受け部の一方側に設けられた前記第１の規制部及び前記第２の規制部と、前記ケーブル受け部の他方側に設けられた前記第１の規制部及び前記第２の規制部とは、鉛直軸に対する回転対称の位置に前記第１の内視鏡及び前記第２の内視鏡の前記操作部の位置を規制することを特徴とする請求項４記載の内視鏡保持装置。
【請求項６】
前記溝の延伸方向は、水平方向であることを特徴とする請求項４記載の内視鏡保持装置。
【請求項７】
内視鏡の周辺機器が配置されるトロリーであって、
請求項１に記載の内視鏡保持装置を備える、
ことを特徴とするトロリー。
【発明の詳細な説明】
【技術分野】
【０００１】
本発明は、内視鏡を保持する内視鏡保持装置、及び内視鏡保持装置を備えるトロリーに関する。
【背景技術】
【０００２】
図１０に示すように、内視鏡２００は、ユニバーサルコード（以下、単に「Ｕコード」と記す。）２０１と、このＵコード２０１に接続された操作部２０２とを備える。Ｕコード２０１は、操作部２０２のうち人体等へ挿入される挿入部側とは反対側の光源装置側に延び、ライトガイド、チューブ、配線等を内蔵する。操作部２０２は、上記の挿入部の動作の操作や、送気及び送水の操作などに用いられる。
【０００３】
このような内視鏡２００において、Ｕコード２０１と操作部２０２との位置関係が互いに異なる図１１Ａに示す第１の内視鏡２００−１、及び図１１Ｂに示す第２の内視鏡２００−２がある。
【０００４】
Ｕコード２０１は、図１１Ａに示す第１の内視鏡２００−１では操作部２０２の一方（図１１Ａの左端）側から操作部２０２と垂直に突出し、図１１Ｂに示す第２の内視鏡２００−２では操作部２０２の他方（図１１Ｂの右端）側から操作部２０２と垂直に突出する。
【０００５】
このような内視鏡２００のＵコード２０１及び操作部２０２は、内視鏡保持具により保持される（例えば、特許文献１及び２参照）。
図１２及び図１３は、参考技術に係る内視鏡保持具３１０を示す斜視図である。
【０００６】
図１４Ａは、参考技術に係る内視鏡保持具３１０及び第１の内視鏡２００−１を示す斜視図であり、図１４Ｂは、参考技術に係る内視鏡保持具３１０及び第２の内視鏡２００−２を示す斜視図である。
【０００７】
図１２及び図１３に示すように、内視鏡保持具３１０は、断面Ｕ字状の２つの溝３１１ａ，３１１ｂが形成されたケーブル受け部３１１と、操作部保持面３１２と、２つの位置規制突起部３１３と、を備える。
【０００８】
ケーブル受け部３１１の溝３１１ａ，３１１ｂと操作部保持面３１２とは、断面略方形の内視鏡保持具３１０の隣り合う面で、それぞれＵコード２０１又は操作部２０２を保持する。
【０００９】
Ｕコード２０１が掛けられるケーブル受け部３１１の溝３１１ａ，３１１ｂの延伸方向は、操作部保持面３１２と垂直に位置する。また、操作部２０２側に偏った内視鏡２００の重量を支えるため、溝３１１ａ，３１１ｂの延伸方向は、操作部保持面３１２が上向きとなるよう水平ではなく傾斜している。
【００１０】
第１の内視鏡２００−１及び第２の内視鏡２００−２は、上記のとおり、Ｕコード２０１と操作部２０２との位置関係が互いに異なるため、図１４Ａに示すように第１の内視鏡２００−１の操作部２０２が操作部保持面３１２により保持された状態では、第１の内視鏡２００−１のＵコード２０１は、第１の溝３１１ａに掛けられる。
【００１１】
一方、図１４Ｂに示すように第２の内視鏡２００−２の操作部２０２が操作部保持面３１２により保持された状態では、第２の内視鏡２００−２のＵコード２０１は、第２の溝３１１ｂに掛けられる。
【００１２】
なお、位置規制突起部３１３は、操作部保持面３１２により保持される操作部２０２の位置を規制する。また、図１４Ａ及び図１４Ｂに示す内視鏡保持具３１０は、ハンガー３０２に固定されている。
【先行技術文献】
【特許文献】
【００１３】
【特許文献１】特開平１１−１１３８３５号公報
【特許文献２】特開２００４−２４８８３３号公報
【発明の概要】
【発明が解決しようとする課題】
【００１４】
ところで、上述の参考技術に係る内視鏡保持具３１０では、ユーザが内視鏡２００を内視鏡保持具３１０へ掛けようとする際、ケーブル受け部３１１の溝３１１ａ，３１１ｂが２つあると、どちらに掛ければ良いかが判り難い。
【００１５】
また、この判り難さが原因となり、うまく掛けられないあるいは間違った掛け方をしてしまい、図９Ｂ（実施の形態において後述する比較例）に示すように、例えば衝撃や移動による振動が加わった際に操作部２０２が操作部保持面３１２から浮いた状態になりやすく、Ｕコード２０１と内視鏡保持具３１０との接触は、ケーブル受け部３１１の溝３１１ａ（３１１ｂ）と操作部保持面３１２との接合稜線における１点（支点）のみとなり、この接触点は操作部に非常に近いため保持力が弱く、ずり落ち易かった。
【００１６】
１つの側面では、本発明の目的は、操作部とケーブルとの位置関係が互いに異なる複数の内視鏡の掛け間違いを防いで内視鏡を確実に保持することができる内視鏡保持装置及びトロリーを提供することである。
【課題を解決するための手段】
【００１７】
本発明の内視鏡保持装置は、内視鏡のケーブルを掛けるための溝が１つ形成されたケーブル受け部と、前記ケーブルと該ケーブルに接続された操作部との位置関係が互いに異なる第１の内視鏡及び第２の内視鏡のうち、前記第１の内視鏡の前記ケーブルが前記溝に掛けられたときに前記第１の内視鏡の前記操作部の位置を規制する第１の規制部と、前記第２の内視鏡の前記ケーブルが前記溝に掛けられたときに前記第２の内視鏡の前記操作部の位置を規制する第２の規制部と、を備える。
【００１８】
本発明のトロリーは、内視鏡の周辺機器が配置されるトロリーであって、上記内視鏡保持装置を備える。
【発明の効果】
【００１９】
本発明によれば、操作部とケーブルとの位置関係が互いに異なる複数の内視鏡の掛け間違いを防いで内視鏡を確実に保持することができる。
【図面の簡単な説明】
【００２０】
【図１】実施の形態に係るトロリーを示す斜視図である。
【図２】実施の形態に係る内視鏡保持装置を示す斜視図である。
【図３】実施の形態における内視鏡保持具を示す斜視図である。
【図４】実施の形態における内視鏡保持具を示す正面図である。
【図５】実施の形態における内視鏡保持具を示す背面図である。
【図６】図５のVI−VI断面図である。
【図７】実施の形態に係る内視鏡保持装置並びに第１及び第２の内視鏡を示す斜視図である。
【図８Ａ】実施の形態における内視鏡保持具と内視鏡との保持状態を示す説明図（その１）である。
【図８Ｂ】実施の形態における内視鏡保持具と内視鏡との保持状態を示す説明図（その２）である。
【図９Ａ】比較例（参考技術）における内視鏡保持具と内視鏡との保持状態を示す説明図（その１）である。
【図９Ｂ】比較例（参考技術）における内視鏡保持具と内視鏡との保持状態を示す説明図（その２）である。
【図１０】内視鏡のＵコード及び操作部を示す正面図である。
【図１１Ａ】第１の内視鏡のＵコードと操作部との位置関係を示す説明図である。
【図１１Ｂ】第２の内視鏡のＵコードと操作部との位置関係を示す説明図である。
【図１２】参考技術に係る内視鏡保持具を示す斜視図（その１）である。
【図１３】参考技術に係る内視鏡保持具を示す斜視図（その２）である。
【図１４Ａ】参考技術に係る内視鏡保持具及び第１の内視鏡を示す斜視図である。
【図１４Ｂ】参考技術に係る内視鏡保持具及び第２の内視鏡を示す斜視図である。
【発明を実施するための形態】
【００２１】
以下、実施の形態に係る内視鏡保持装置及びトロリーについて、図面を参照しながら説明する。
図１は、実施の形態に係るトロリー１００を示す斜視図である。
【００２２】
図２は、実施の形態に係る内視鏡保持装置１を示す斜視図である。
図１に示すトロリー１００は、内視鏡保持装置１と、フレーム１０１と、複数の棚１０２，１０３，１０４，１０５と、表示部取付アーム１０６と、キャスター１０７と、を備える。
【００２３】
フレーム１０１は、正面視において逆Ｕ字状を呈し、内視鏡保持装置１及び複数の棚１０２，１０３，１０４，１０５が固定されている。
表示部取付アーム１０６は、フレーム１０１の上端に固定され、図示しない表示部が取り付けられる。
【００２４】
キャスター１０７は、トロリー１００を移動可能とするべく、トロリー１００の下端の４隅に設けられている。
なお、上述のトロリー１００は、あくまで一例であって、本実施の形態に係るトロリーとしては、内視鏡２００の何らかの周辺機器（例えば、制御装置２１１、光源装置２１２、表示部など）が配置されるものであって、内視鏡保持装置１を備えるものであればよい。
【００２５】
図２に示すように、内視鏡保持装置１は、例えば２つの内視鏡保持具１０と、ハンガー２と、ハンガー挿入部３と、ハンガー高さ調整部４と、を備える。
ハンガー２は、ハンガー挿入部３に挿入され、ハンガー高さ調整部４によりハンガー挿入部３の上端においてハンガー挿入部３に固定される。この固定位置を変更することでハンガー２の高さを調整することができる。
【００２６】
内視鏡保持具１０は、例えば、ハンガー２の水平部分２ａに固定される。内視鏡保持具１０は、内視鏡保持装置１に１つだけ配置されていてもよいし、３つ以上配置されていてもよい。
【００２７】
なお、上述の内視鏡保持装置１は、あくまで一例であって、本実施の形態に係る内視鏡保持装置としては、後述するケーブル受け部１１と、第１の規制面１３ａを一例とする第１の規制部と、及び第２の規制面１３ｂを一例とする第２の規制部とを備えるものであればよく、ハンガー２、ハンガー挿入部３、ハンガー高さ調整部４などを省略した構成を採用することも可能である。また、内視鏡保持装置１は、トロリー１００に配置されず、独立して配置されるものであっても、トロリー１００以外の他の装置に配置されるものであってもよい。
【００２８】
図３、図４、及び図５は、実施の形態における内視鏡保持具１０を示す斜視図、正面図、及び背面図である。
図６は、図５のVI−VI断面図である。
【００２９】
図７は、内視鏡保持装置１並びに第１及び第２の内視鏡２００−１，２００−２を示す斜視図である。
図３〜図６に示すように、内視鏡保持具１０は、ケーブル受け部１１と、２つの操作部保持面１２と、２つの位置規制突起部１３と、２つの補助突起部１４と、２つの取付位置調整部１５と、２つのハンガー貫通孔１６と、を備える。
【００３０】
ケーブル受け部１１は、２つの操作部保持面１２の上端から上方に突出するように、２つの操作部保持面１２と一体に設けられている。ケーブル受け部１１には、内視鏡２００のケーブルの一例であるＵコード（ユニバーサルコード）２０１を掛けるための延伸方向Ｄ（図３及び図６参照）断面がＵ字状の溝１１ａが１つ形成されている。
【００３１】
操作部保持面１２は、ケーブル受け部１１よりも下方に設けられ、第１の内視鏡２００−１及び第２の内視鏡２００−２の操作部２０２を保持する。操作部保持面１２は、ケーブル受け部１１を挟んで両側に対向するように２つ設けられている。
【００３２】
図６に示すように、ケーブル受け部１１の溝１１ａの延伸方向Ｄ（２つの操作部保持面１２間を結ぶ方向）は水平であり、２つの操作部保持面１２の垂線は、水平方向よりも上向きである。そのため、溝１１ａの延伸方向Ｄと２つの操作部保持面１２とがなす角度θは、それぞれ鈍角（９０度より大きく、１８０度より小さい）である。
【００３３】
操作部保持面１２は、Ｕコード２０１と操作部２０２との位置関係が互いに異なる図１１Ａに示す第１の内視鏡２００−１、及び図１１Ｂに示す第２の内視鏡２００−２のうち、第１の内視鏡２００−１の操作部２０２が配置される第１の領域１２ａと、第２の内視鏡２００−２の操作部２０２が配置される第２の領域１２ｂとを含む。
【００３４】
Ｕコード２０１は、図１１Ａに示す第１の内視鏡２００−１では操作部２０２の一方（図１１Ａの左端）側から操作部２０２と垂直に突出し、図１１Ｂに示す第２の内視鏡２００−２では操作部２０２の他方（図１１Ｂの右端）側から操作部２０２と垂直に突出する。
【００３５】
位置規制突起部１３は、第１の領域１２ａと第２の領域１２ｂとの間において操作部保持面１２から垂直に突出している。位置規制突起部１３の一方側である正面視（図４参照）及び背面視（図５参照）における右側には、第１の規制部の一例である第１の規制面１３ａが設けられている。位置規制突起部１３の他方側である正面視及び背面視における左側には、第２の規制部の一例である第２の規制面１３ｂが設けられている。なお、位置規制突起部１３は、正面視及び背面視において、溝１１ａの略直下に位置するといえるが、溝１１ａの左右方向の中心の直下よりは少し左側に寄っている。
【００３６】
図７に示すように、第１の規制面１３ａは、第１の内視鏡２００−１のＵコード２０１がケーブル受け部１１に掛けられたときに、第１の内視鏡２００−１の操作部２０２の位置を規制する。
【００３７】
また、第２の規制面１３ｂは、第２の内視鏡２００−２のＵコード２０１がケーブル受け部１１に掛けられたときに第２の内視鏡２００−２の操作部２０２の位置を規制する。
なお、第１の規制面１３ａ及び第２の規制面１３ｂは、保持された状態の第１又は第２の内視鏡２００−１，２００−２に当接しても、当接しなくてもよい。
【００３８】
補助突起部１４は、図３〜図６に示すように、第１の内視鏡２００−１の操作部２０２の正面視（図４参照）及び背面視（図５参照）における右側の位置を規制するべく、操作部保持面１２から垂直に突出している。なお、第２の内視鏡２００−２の正面視における左側の位置を規制する補助突起部は設けられていないが、設けてもよい。
【００３９】
操作部保持面１２、位置規制突起部１３、及び補助突起部１４は、ケーブル受け部１１を挟んだ両側のそれぞれに設けられ、ケーブル受け部１１の一方側の位置規制突起部１３及び補助突起部１４と、他方側の位置規制突起部１３及び補助突起部１４とは、図４（正面図）及び図５（背面図）に示すように、鉛直軸に対する回転対称（２回対称）の形状を有する。
【００４０】
そのため、ケーブル受け部１１の一方側に設けられた位置規制突起部１３の第１の規制面１３ａ及び第２の規制面１３ｂと、他方側に設けられた位置規制突起部１３の第１の規制面１３ａ及び第２の規制面１３ｂとは、鉛直軸に対する回転対称（２回対称）の位置に第１の内視鏡２００−１及び第２の内視鏡２００−２の操作部２０２の位置を規制する。
【００４１】
取付位置調整部１５は、２つのハンガー貫通孔１６を貫通する図１、図２、及び図７に示すハンガー２に対する内視鏡保持具１０の取付け位置を調整するのに用いられ、例えば、ボルト等により構成される。
【００４２】
なお、内視鏡保持具１０は、取付位置調整部１５のうちボルト等の取付け用の部材を除き、例えば樹脂などの材料から一体成形することができる。
図８Ａ及び図８Ｂは、内視鏡保持具１０と内視鏡２００との保持状態を示す説明図である。
【００４３】
図９Ａ及び図９Ｂは、比較例における内視鏡保持具（図１２〜図１４Ｂに示す参考技術に係る内視鏡保持具３１０参照）と内視鏡との保持状態を示す説明図である。
図８Ａに示すように内視鏡２００が保持されている状態では、内視鏡２００の操作部２０２が、溝１１ａの延伸方向Ｄと鈍角の角度θをなす操作部保持面１２に面接触するのが正常状態である。
【００４４】
また、比較例においては、図９Ａに示すように内視鏡２００が保持されている状態では、内視鏡２００の操作部２０２が、溝３１１ａと垂直をなす操作部保持面３１２に面接触する状態が正常状態である。
【００４５】
しかし、例えば、操作部２０２が内視鏡保持具１０に正しく掛けられなかった場合や、操作部２０２が内視鏡保持具１０に正しく掛けられても操作部２０２や内視鏡保持具１０などに対し、強い衝撃やトロリー１００の移動による強い振動が加わった場合などには、図８Ｂに示すように、操作部２０２が操作部保持面１２から浮いた状態（溝１１ａの延伸方向Ｄや操作部保持面１２は一定）となりうる。この操作部２０２が操作部保持面１２から浮いた状態において、Ｕコード２０１と溝１１ａとの接触点を支点と想定し、操作部２０２と操作部保持面１２との接触点を作用点と想定した場合、内視鏡２００が操作部２０２側へ落下しようとする力は、作用点において実線矢印のような力Ｆを及ぼす。
【００４６】
同様に、図９Ｂに示すように、操作部２０２が操作部保持面３１２から浮いた状態（溝３１１ａの延伸方向や操作部保持面３１２は一定）において、Ｕコード２０１と溝３１１ａとの接触点を支点と想定し、操作部２０２と操作部保持面３１２との接触点を作用点と想定した場合、内視鏡２００が操作部２０２側へ落下しようとする力は、作用点において実線矢印のような力Ｆ´を及ぼす。
【００４７】
これらの力Ｆ，Ｆ´の矢印の向きは、支点と作用点とを結ぶ線に対して直角方向である。また、図８Ｂ（実施の形態）及び図９Ｂ（比較例）において、力の大きさ、すなわち矢印の長さはほぼ同じと想定できる。
【００４８】
この力を水平方向及び鉛直方向へ分解すると、図８Ｂ及び図９Ｂに示す破線矢印のようになる。
ここで支点に着目すると、上記作用点における水平方向成分に対し、大きさは同じで逆向きの力が生じていることになる。つまり、支点における摩擦力に対してこの水平方向成分が大きくなるほど、内視鏡２００が操作部２０２側へずり落ち易いと言える。
【００４９】
なお、鉛直方向成分については、内視鏡保持具１０，３１０がＵコード２０１を下方から支える構成になっており、かつ鉛直方向の力は支点における摩擦力の大きさには影響しないため、ここでは無視する。
【００５０】
図８Ｂ（実施の形態）と図９Ｂ（比較例）とを比較すると、作用点に働く力Ｆ,Ｆ’はほぼ同じ大きさであるが、図８Ｂに示す場合が図９Ｂに示す場合よりも支点と操作部２０２との距離が遠くなることにより、力の向きが鉛直下方に近づく。このため、この力を水平方向に分解した成分を示す破線矢印は図８Ｂの場合の方が小さくなる。すなわち、支点に掛かる水平方向の力も同様に小さくなる。
【００５１】
以上のことから、操作部２０２が内視鏡保持具１０の操作部保持面１２から同じ角度浮いた状態において、実施の形態（図８Ｂ）の方が比較例（図９Ｂ）よりも内視鏡２００がずり落ち難いことが示された。
【００５２】
以上説明した本実施の形態では、ケーブル受け部１１には、内視鏡２００のＵコード（ケーブルの一例）２０１を掛けるための溝１１ａが１つ形成されている。第１の規制面（第１の規制部の一例）１３ａは、Ｕコード２０１とこのＵコード２０１に接続された操作部２０２との位置関係が互いに異なる第１の内視鏡２００−１及び第２の内視鏡２００−２のうち、第１の内視鏡２００−１のＵコード２０１が溝１１ａに掛けられたときに第１の内視鏡２００−１の操作部２０２の位置を規制する。第２の規制面（第２の規制部の一例）１３ｂは、第２の内視鏡２００−２のＵコード２０１が溝１１ａに掛けられたときに第２の内視鏡２００−２の操作部２０２の位置を規制する。
【００５３】
そのため、ケーブル受け部１１の溝１１ａを１つだけ形成することで、複数の溝を形成する場合（図１２〜図１４Ｂの参考技術に係る内視鏡保持具３１０の溝３１１ａ，３１１ｂ参照）と比較して、内視鏡２００の掛け方を判り易くすることができ、ユーザビリティが向上する。また、内視鏡２００の掛け間違いが発生するのを防ぐことができるため、掛け間違いに起因して上述のように操作部２０２が操作部保持面１２から浮くのを防ぎ、内視鏡２００がずり落ちるのを防ぐことができる。
【００５４】
よって、本実施の形態によれば、操作部２０２とＵコード２０１との位置関係が互いに異なる第１の内視鏡２００−１及び第２の内視鏡２００−２の掛け間違いを防いで内視鏡２００を確実に保持することができる。
【００５５】
また、本実施の形態では、操作部保持面１２は、ケーブル受け部１１よりも下方に設けられ、第１の内視鏡２００−１及び第２の内視鏡２００−２の操作部２０２を保持する。また、溝１１ａの延伸方向Ｄと操作部保持面１２とがなす角度θは、鈍角である。そのため、上述のとおり、図８Ｂに示すように、支点と操作部２０２との距離が図９Ｂに示す比較例よりも遠くなることにより、力Ｆの向きが鉛直下方に近づく。このため、支点に掛かる水平方向の力も同様に小さくなる。そのため、内視鏡２００がずり落ちるのをより確実に防ぐことができる。
【００５６】
また、本実施の形態では、位置規制突起部１３は、操作部保持面１２のうち第１の内視鏡２００−１の操作部２０２が配置される第１の領域１２ａと第２の内視鏡２００−２の操作部２０２が配置される第２の領域１２ｂとの間に位置する。また、第１の規制面１３ａは、位置規制突起部１３の一方側に設けられ、第２の規制面１３ｂは、位置規制突起部１３の他方側に設けられている。そのため、簡素な構成で内視鏡２００の掛け間違いを防ぐことができる。
【００５７】
また、本実施の形態では、第１の規制面１３ａ及び第２の規制面１３ｂは、ケーブル受け部１１を挟んだ両側のそれぞれに両方設けられている。そのため、ケーブル受け部１１の両側から内視鏡２００を内視鏡保持具１０に掛けることができるため、ユーザビリティが向上する。
【００５８】
また、本実施の形態では、ケーブル受け部１１の一方側に設けられた第１の規制面１３ａ及び第２の規制面１３ｂと、ケーブル受け部１１の他方側に設けられた第１の規制面１３ａ及び第２の規制面１３ｂとは、鉛直軸に対する回転対称の位置に第１の内視鏡２００−１及び第２の内視鏡２００−２の操作部２０２の位置を規制する。そのため、ユーザビリティがより向上する。
【００５９】
また、本実施の形態では、溝１１ａの延伸方向Ｄは、水平方向である。そのため、ケーブル受け部１１の両側から内視鏡２００を内視鏡保持具１０に掛けやすくなる。
なお、操作部保持面１２としては、完全な平面である必要はなく、曲面であってもよく、また、凹凸部分を有していてもよい。更には、第１の規制面１３ａ及び第２の規制面１３ｂを一例とする第１の規制部及び第２の規制部の配置位置によっては操作部保持面１２を省略することもできる。
【００６０】
また、第１の規制部及び第２の規制部は、操作部保持面１２の第１の領域１２ａと第２の領域１２ｂとの間の位置規制突起部１３ではなく、他の位置に設けられていてもよい。
また、第１の規制部及び第２の規制部は、規制面を有さず、点状或いは線状の部分で操作部２０２の位置を規制するようにしてもよい、また、第１の規制部及び第２の規制部は、操作部保持面１２に設けられた凹部等であってもよい。
【００６１】
また、操作部保持面１２、位置規制突起部１３、及び補助突起部１４は、ケーブル受け部１１の一方側のみに設けられていてもよいが、両側に設けられていることで、上記のとおりユーザビリティが向上する。
【００６２】
また、Ｕコード２０１と操作部２０２との位置関係が第１の内視鏡２００−１及び第２の内視鏡２００−２とは異なる第３の内視鏡などを加えた、３種類以上の内視鏡を内視鏡保持装置１（内視鏡保持具１０）が保持できるようにしてもよい。その場合には、３つ以上の規制部を設けるとよい。
【符号の説明】
【００６３】
１        ：内視鏡保持装置
２        ：ハンガー
２ａ      ：水平部分
３        ：ハンガー挿入部
４        ：ハンガー高さ調整部
１０      ：内視鏡保持具
１１      ：ケーブル受け部
１１ａ    ：溝
１２      ：操作部保持面
１２ａ    ：第１の領域
１２ｂ    ：第２の領域
１３      ：位置規制突起部
１３ａ    ：第１の規制面
１３ｂ    ：第２の規制面
１４      ：補助突起部
１５      ：取付位置調整部
１６      ：ハンガー貫通孔
１００    ：トロリー
１０１    ：フレーム
１０２    ：棚
１０３    ：棚
１０４    ：棚
１０５    ：棚
１０６    ：表示部取付アーム
１０７    ：キャスター
２００    ：内視鏡
２００−１：第１の内視鏡
２００−２：第２の内視鏡
２０１    ：Ｕコード（ユニバーサルコード）
２０２    ：操作部
２１１    ：制御装置
２１２    ：光源装置
Ｄ        ：溝の延伸方向
【図８Ａ】
2014057676.tif 000003
【図８Ｂ】
2014057676.tif 000004
【図９Ａ】
2014057676.tif 000005
【図９Ｂ】
2014057676.tif 000006
【図１１Ａ】
2014057676.tif 000007
【図１１Ｂ】
2014057676.tif 000008
【図１】
2014057676.tif 000009
【図２】
2014057676.tif 000010
【図３】
2014057676.tif 000011
【図４】
2014057676.tif 000012
【図５】
2014057676.tif 000013
【図６】
2014057676.tif 000014
【図７】
2014057676.tif 000015
【図１０】
2014057676.tif 000016
【図１２】
2014057676.tif 000017
【図１３】
2014057676.tif 000018
【図１４Ａ】
2014057676.tif 000019
【図１４Ｂ】
2014057676.tif 000020